【手続補正書】
【提出日】平成18年9月20日(2006.9.20)
【手続補正１】
【補正対象書類名】明細書
【補正対象項目名】０００２
【補正方法】変更
【補正の内容】
【０００２】
（従来の技術）
複合セッケン（又は固形セッケン）は、個人衛生にとって重要な役割を果たしている。現在、複合セッケンは、工業的には、遊離の脂肪酸をアルカリで連続ケン化し、ベースセッケンを濃縮し、噴霧乾燥して製造されている。一般に、脂肪酸塩のみを含有し所望により遊離の脂肪酸を含有するような、狭義のアルカリセッケンと、いわゆる「複合セッケン」とは明確に区別され、後者の複合セッケンは、脂肪酸塩に加えて、他の合成界面活性剤（一般的には、脂肪アルコールエーテル硫酸塩または脂肪酸イセチオン酸塩）を含有している。これらのセッケンに対し、いわゆる「合成化粧セッケン」は、特別な位置を占めており、合成化粧セッケンは、不純物は別として脂肪酸塩を含んでおらず、合成界面活性剤しか含有していない。
【手続補正２】
【補正対象書類名】明細書
【補正対象項目名】０００３
【補正方法】変更
【補正の内容】
【０００３】
ドイツのみで、毎年、数百万個の個人衛生用複合セッケンが販売されている。しかし、これら大量消費財が充足すべき商業上の要求は、ますます厳しくなって来ている。複合セッケンは、単に清潔にするだけでなく肌を保護することが必要であって、例えば、肌の乾燥を防いだり、肌を加脂したり、外部からの影響から肌を保護することが要求されている。セッケンは、もちろん肌に適していることが必要であるが、これと同時に、使用に際し、豊富でクリーミーな泡を形成して、心地よい肌触りを有することが期待されている。この点で、複合セッケンの製造者は、これらの要求を満たす新しい成分を絶えず探索している。
【手続補正３】
【補正対象書類名】明細書
【補正対象項目名】０００４
【補正方法】変更
【補正の内容】
【０００４】
近年、アルキルグルコシドは、新規な非イオン性界面活性剤として重要視されている。なぜなら、アルキルグルコシドは、例えば起泡力などの多くの点でアニオン性界面活性剤に類似の挙動を示し、これと同時に環境保全上および皮膚科学的に極めて高い適合性を示すからである。したがって、必然的なことであるが、複合セッケンに関し、これらアルキルグルコシド界面活性剤を使って実験が行なわれている。例えば、1〜20重量％のアルキルポリグルコシド含むと共に、好適にはビルダーとして55〜66重量％のセッケンを含有する化粧セッケンが、EP 0 463 912 A（Colgate）に開示されている。また、アルキルポリグルコシド型界面活性剤などの低刺激性の界面活性剤を含有する化粧セッケンは、EP 0 227 321 A2、EP 0 308 189 B1およびEP 0 308 190 B1（Procter & Gamble）に開示されている。また、DE 43 31 297 A1およびDE 43 37 031 A1（Henkel）には、少量のアルキルポリグルコシドを含有する脂肪酸塩含有複合セッケンが開示されている。最後に、DE 1945136 C1には、5〜25重量％のアルキル／アルケニルオリゴグリコシドと、5〜40重量％のデンプンとを含有する合成化粧セッケンが記載されている。しかしながら、先行技術に開示のセッケンは、必ずしも起泡力が充分ではなく、また泡のコンシステンシーの点、特に肌触りの点で不充分である。加えて、遊離の脂肪酸を加脂剤として使用すると、製造装置に、極めて深刻な腐食の問題が起こりうる。
【手続補正４】
【補正対象書類名】明細書
【補正対象項目名】０００７
【補正方法】変更
【補正の内容】
【０００７】
驚くべきことに、アルキルおよび／またはアルケニルオリゴグリコシドと、オレフィンスルホン酸塩（好適には、無水形態のオレフィンスルホン酸塩）との混合物を界面活性剤成分として使用すると共に、デンプンをビルダーとして使用すると、脂肪酸または脂肪酸塩の不存在下に、改善された起泡挙動および最適化された肌触りを有する合成化粧セッケンを製造できることが見出された。本発明によれば、上記知見に加え、前記混合物は、合成化粧セッケンの工業的製造に著しく適しているという知見に基づくものであって、前記混合物は、大気中において、貯蔵安定性を示して、実質的に非吸湿性であってかつ成形可能であり、乾燥の際に亀裂を生じることはない。
【手続補正５】
【補正対象書類名】明細書
【補正対象項目名】０００９
【補正方法】変更
【補正の内容】
【０００９】
アルキルおよび／またはアルケニルオリゴグリコシドは、C5〜C6のアルドースまたはケトース（好適には、グルコース）から誘導することができる。したがって好適なアルキルおよび／またはアルケニルオリゴグリコシドは、アルキルおよび／またはアルケニルオリゴグルコシドである。式（I）の添字ｐは、オリゴマー化度（DP）、すなわちモノ-およびオリゴ-グリコシドの分布を示し、1〜10の数値である。特定の化合物中のｐは、常に整数でなければならず、特に1〜6の値をとりうるが、ある種のアルキルオリゴグリコシドのｐ値は、分析的に決定される計算量であり、一般的には、端数である。1.1〜3.0の平均オリゴマー化度ｐを有するアルキルおよび／またはアルケニルオリゴグリコシドが、好適に使用される。1.7未満（特に1.2〜1.4）のオリゴマー化度を有するアルキルおよび／またはアルケニルオリゴグリコシドは、実用上、好適である。
【手続補正６】
【補正対象書類名】明細書
【補正対象項目名】００１８
【補正方法】変更
【補正の内容】
【００１８】
適切な油は、例えばC6〜C18（好適には、C8〜C10）の脂肪アルコールをベースとするゲルベアルコール、直鎖C6-22脂肪酸と直鎖C6-22脂肪アルコールとのエステル、分枝鎖C6-13カルボン酸と直鎖C6-22脂肪アルコールとのエステル、直鎖C6-22脂肪酸と分枝鎖アルコール（特に2-エチルヘキサノール）とのエステル、ヒドロキシカルボン酸と直鎖または分枝鎖C6-22脂肪アルコールとのエステル（特にリンゴ酸ジオクチル）、直鎖および／または分枝鎖脂肪酸と、多価アルコール（例えばプロピレングリコール、二量体ジオールまたは三量体トリオール）および／またはゲルベアルコールとのエステル、C6-10脂肪酸をベースとするトリグリセリド、C6-18脂肪酸をベースとする液体モノ-／ジ-／トリ-グリセリド混合物、C6-22脂肪アルコールおよび／またはゲルベアルコールと芳香族カルボン酸（特に安息香酸）とのエステル、C2-12二カルボン酸と、C1〜C22直鎖または分枝鎖アルコールまたは2〜6個のヒドロキシル基を含有するC2〜C10ポリオールとのエステル、植物油、分枝鎖一級アルコール、置換シクロヘキサン、直鎖および分枝鎖C6-22脂肪アルコールカーボネート、ゲルベカーボネート、安息香酸と、直鎖および／または分枝鎖C6-22アルコールとのエステル（例えばFinsolv（登録商標）TN）、アルキル基１つあたりC6〜C22である直鎖または分枝鎖対称または非対称ジアルキルエーテル、エポキシ化脂肪酸エステルとポリオールとの開環反応生成物、シリコーン油および／または脂肪族またはナフテン系炭化水素である。
【手続補正７】
【補正対象書類名】明細書
【補正対象項目名】００１９
【補正方法】変更
【補正の内容】
【００１９】
適切な乳化剤は、例えば以下の群の少なくとも1つから選択される非イオン性界面活性剤である：
（1）C8〜C22直鎖脂肪アルコール、C12〜C22脂肪酸およびC8〜C15アルキル基を有するアルキルフェノールの、エチレンオキシド（2〜30モル）および／またはプロピレンオキシド（0〜5モル）付加物、
（2）C12／18脂肪酸モノエステルおよびジエステルのエチレンオキシド（1〜30モル）付加物、
（3）C6〜C22の飽和および不飽和脂肪酸とグリセロールとのモノエステル／ジエステルおよびソルビタンとのモノエステル／ジエステル、並びにそれらのエチレンオキシド付加物、
（4）アルキル基がC8〜C22であるアルキルモノ-およびオリゴ-グリコシドおよびそのエトキシル化類似体、
（5）15〜60モルのエチレンオキシドとヒマシ油および／または水添ヒマシ油との付加物、
（6）ポリオールエステル、特に、ポリグリセロールエステル、例えばポリリシノール酸ポリグリセロール、ポリ-12-ヒドロキシステアリン酸ポリグリセロールおよび二量体酸イソステアリン酸ポリグリセロール（これらの種類のいくつかから選択される化合物の混合物も好適である）、
（7）ヒマシ油および／または水添ヒマシ油に2〜15モルのエチレンオキシドが付加した生成物、
（8）直鎖または分枝鎖で不飽和または飽和のC6／22脂肪酸、リシノール酸および12-ヒドロキシステアリン酸と、
グリセロール、ポリグリセロール、ペンタエリトリトール、ジペンタエリトリトール、糖アルコール（例えばソルビトール）、アルキルグルコシド（例えばメチルグルコシド、ブチルグルコシド、ラウリルグルコシド）およびポリグルコシド（例えばセルロース）との部分エステル、
（9）リン酸モノ-、ジ-およびトリ-アルキル並びにリン酸モノ-、ジ-および／またはトリ-PEG-アルキル並びにそれらの塩、
（10）羊毛ロウアルコール、
（11）ポリシロキサン／ポリアルキルポリエーテルコポリマーおよび対応する誘導体、
（12）DE-PS1165574に記載のペンタエリトリトール、脂肪酸、クエン酸および脂肪アルコールからなる混合エステルおよび／またはC6〜C22の脂肪酸、メチルグルコースおよびポリオール（好適には、グリセロールまたはポリグリセロール）からなる混合エステル、および
（13）ポリアルキレングリコール。
【手続補正８】
【補正対象書類名】明細書
【補正対象項目名】００２２
【補正方法】変更
【補正の内容】
【００２２】
双性イオン界面活性剤も乳化剤として使用できる。双性イオン界面活性剤は、当該分子中に、少なくとも1つの四級アンモニウム基および少なくとも1つのカルボン酸イオンおよび1つのスルホン酸イオンを含有する界面活性化合物である。特に適切な双性イオン界面活性剤は、いわゆるベタインであって、例えばアルキル基またはアシル基がC8〜C18であるN-アルキル-N,N-ジメチルアンモニウムグリシネート、例えばココアルキルジメチルアンモニウムグリシネート、N-アシルアミノプロピル-N,N-ジメチルアンモニウムグリシネート、例えばココアシルアミノプロピルジメチルアンモニウムグリシネートおよび2-アルキル-3-カルボキシメチル-3-ヒドロキシエチルイミダゾリン並びにココアシルアミノエチルヒドロキシエチルカルボキシメチルグリシネートである。ココアミドプロピルベタイン（Cocoamidopropyl Betain）のCTFA名で知られている脂肪酸アミド誘導体が、特に好適である。両性界面活性剤も適切な乳化剤である。両性界面活性剤は、当該分子中にC8／18アルキルまたはアシル基の他に少なくとも1つの遊離アミノ基および少なくとも1つの-COOHまたは-SO3H基を含有し、分子内塩を形成することができる界面活性化合物である。適切な両性界面活性剤の例は、アルキル基がおよそC8〜C18であるN-アルキルグリシン、N-アルキルプロピオン酸、N-アルキルアミノ酪酸、N-アルキルイミノジプロピオン酸、N-ヒドロキシエチル-N-アルキルアミドプロピルグリシン、N-アルキルタウリン、N-アルキルサルコシン、2-アルキルアミノプロピオン酸およびアルキルアミノ酢酸である。特に好適な両性界面活性剤は、N-ココアルキルアミノプロピオネート、ココアシルアミノエチルアミノプロピオネートおよびC12／18アシルサルコシンである。両性乳化剤の他に四級乳化剤も使用することができ、エステルクォート型の四級乳化剤（好適には、メチル四級化ジ脂肪酸トリエタノールアミンエステル塩）が、特に好適である。